(57)【要約】      （修正有）【課題】潜入者のタイムリーな検知,潜入者による検知センサーの迂回、撤去、機能停止等を困難化、振動センサーの耐摩耗性、防水性向上、設置の容易化、ガラスの破損の検知、個体識別への利用、ＡＴＭの防犯、ドア開閉の時間と回数の管理等々の改良。【解決手段】検出器の設置可能位置・場所を広範囲に広げた。又埋設することで潜入者の目視が不可能で予備対策を困難にした。  軟質金属には硬質金属で出来た振動センサー内蔵の箱を作り、その箱を取り付けるようにした。又、振動の不良導体素材は金属板と張り合わせることで発信素材とした。防水構造の金属製埋設検知器とし、玉石や土は振動を伝えにくいので、広い範囲をカバーするために簡単に延長又は分岐して設置できるように工夫した。  ＡＴＭや工場のトラックの出入り場所、ビルの廊下等に簡便に安く設備できるものとした。【選択図】      図３
2005018722.tif 000002
【特許請求の範囲】
【請求項１】
金属製窓外枠（２）、ヒンジ式扉（３）の金属製外枠又は金属製ヒンジ（４）、金属製床面材（５）、金属製壁面材（６）及び金属製水密埋設箱）に振動センサー（１）を取り付けることを特徴とするか、又は振動センサー箱Ａ型（１３）振動センサー箱Ｂ型（１４）を取り付ける取り付け座（８）を有することを特徴とする、金属製窓外枠（２）、ヒンジ式扉の金属製外枠又は金属製ヒンジ（４）、金属製床面材（５）、金属製壁面材（６）及び金属製埋設検知器（７）の潜入者検知器。
【請求項２】
振動センサー箱Ａ型（１３）振動センサー箱Ｂ型（１４）を直接取り付けることが困難、或いは取り付け座（８）を設けることが困難な素材、又は振動不良導体素材の木材・繊維・化学合成シート・石板・タイル等々（９）を振動の良導体金属板（１０）と張り合わせ留事を特徴とし、且つ、振動の良導体金属板（１０）に振動センサーを直接取り付けるか、又は取り付け座（８）を有することを特徴とする建築素材兼潜入者検知器。
【請求項３】
金属製埋設検知器（７）の周囲に、ボルト締めの穴を複数有するフランジ部（１１）を有し、受信部分を簡単に延長及び分岐できることを特徴とする振動センサー内蔵の金属製埋設検知器（７）。及び延長又は分岐用金属板（１２）。
【請求項４】
乾燥条件下で使用する振動センサーを内蔵した箱で、取り付ける母材に振動センサー先端が直接接触するタイプの振動センサー箱Ａ型（１３）と、振動センサー先端が振動センサー箱自身の一部に接触する事を特徴とする振動センサー箱Ｂ型（１４）。
【請求項５】
ステンレス鋼板又は鉄鋼板（１５）の下面に振動の不良導体であるゴム板（１６）等を張り、ステンレス綱板又は鉄鋼板（１５）に振動センサー箱Ｂ型（１４）を取り付け金属製保護カバー（１７）を設け、同カバーからの配線は金属製配線保護管（１８）で保護されることを特徴とし、滑り止めや美観の点でステンレス綱板又は鉄鋼板（１５）の上面に滑り止め・化粧材（１９）を張り付ける事を特徴とする仮設潜入者検知器（２０）。
【発明の詳細な説明】
【０００１】
【発明が解決しようとする課題】
潜入者のタイムリーな検知。
潜入者による検知センサーの迂回、撤去、機能停止等を困難にする。
アルミニウム等軟質の金属は振動センサー先端が尖っているため、長時間の間にアルミニウム等が削られるので、その対応。
水分がある所での利用と、検知部分の容易な延長・拡大。
ガラスの破損を検知。
個体識別への利用。
ＡＴＭの防犯。
ドア開閉の時間と回数の管理等々、潜入情報発信の検知器の開発。
【０００２】
【従来の技術】
テレビカメラの設置、赤外線を利用した物、光線を遮断すると作動する物、張り巡らせた紐等に振れるか切れると作動する物、リミットスイッチのように機械的に作動する物等々が多種多様な検出器、検知方法がある。維持管理費用の面、リセットの問題、変装等個体識別の問題、設備費・工事期間の問題、等々一長一短がある。
【０００３】
【課題を解決するための手段】
潜入者のタイムリーな検知は、入り口門及び玄関踊り場のタイルや石板貼り床材に振動センサーを設け人や車の進入を検知し、扉ヒンジ部にセンサーを設けて施錠の開閉・ドアの開閉・バール等によるこじ開け等を検知し、入り口門及び玄関間の通路に振動センサー内蔵の金属製埋設検知器（７）及び延長又は分岐用金属板（１２）を設けることにより通路上の人や車の移動を検知する。窓や建物内廊下や個別の部屋の扉に取り付けたセンサーは人間の進入や通過を検知する。
地上に露出している検知器は、潜入者による検知器の迂回、撤去、機能停止等の対策が講じやすく、潜入者は対策を講じやすい。検知器を土中又は建物の中に埋設する事及び金属製保護カバー（１７）・金属製配線保護管（１８）と受信部分を連続接続して振動が伝わる構造にしてこの問題を解決した。
アルミニウム等窓枠に多用されている軟質の金属は振動センサー先端が尖っているため、長時間の間にアルミニウム等が削られるので、振動センサー箱Ｂ型（１４）を開発した。
水分がある所での利用に、完全防水の振動センサー内蔵の金属製埋設検知器（７）を開発し、検知部分の容易な延長・拡大は、金属製埋設検知器（７）の外面にボルト締めの出来るフランジ部（１１）を有するように工夫し、延長又は分岐用金属板（１２）を開発した。
金属製窓外枠（２）に取り付けた振動センサーが車輪の転動する振動並びに施錠の開閉時の振動のみならず、ガラス破損時に生ずる振動をも感知する。
個体識別は、今回の申請範囲を超えるが、振動をフィールターにかけ、個別・固有の振動を識別する。その元の振動情報を提供する。
ＡＴＭの防犯は、仮設潜入者検知器（２０）を設けることにより、人間の接近、大型重機の接近を感知・識別する。この仮設潜入者検知器（２０）は建物や敷地内の通路、或いは金庫の下に設置する等の活用が可能である。
【０００４】
【発明の実施の形態】
発明の実施の形態を実施例に基づき図面を参照して説明する。
【０００５】
【実施例】
図１において、窓枠の下面にボルト・ナットで振動センサー箱Ｂ型（１４）を取り付けた状態を示し、窓の開閉・錠の開閉・ガラスの破損の個別振動を捉える。
【０００６】
図２において、ヒンジ式扉のヒンジ部に振動センサー箱Ｂ型（１４）を取り付ける取り付け座を設けたヒンジを示し、センサー取り付けようのヒンジは片方のヒンジ材を延長して９０度曲げ、延長して曲げた部分に振動センサー箱Ｂ型（１４）取り付け座（８）を設けた状態を示す。
【０００７】
図３において、振動センサー箱Ａ型（１３）振動センサー箱Ｂ型（１４）を直接取り付けること、或いは取り付け座（８）を設けることが困難素材か、或いは振動の不良導体素材の木材・繊維・化学合成シート・石板・タイル等々（９）を振動の良導体金属板（１０）と張り合わせることで振動を受信できる構造とし、取り付け座（８）設けた建築素材兼潜入者検知器を表す。
【０００８】
図４において、金属製埋設検知器（７）の周囲に、ボルト締めの出来るフランジ部（１１）を有し、受信部分を簡単に延長及び分岐できることを特徴とする振動センサー内蔵の金属製埋設検知器（７）。並びに延長又は分岐用金属板（１２）を表し、金属板は金属管でも良く、金属板は敷石等を張り合わせた物でも良い。玉石を敷き詰めた通路では、金属板の真上で足が玉石を踏みしめる振動が最大で、離れると極端に振動の強さが下がるので、板の幅を広くするか分岐して広い範囲をカバーする必要がある。延長又は分岐用金属板（１２）を繋いだ一例を示す。
【０００９】
図５において、乾燥条件下で使用する振動センサーを内蔵した箱で、ボルト・ナットで簡便に取り付け可能とし、取り付け対象母材にセンサー先端が直接接触する振動センサー箱Ａ型（１３）と、振動センサー先端が振動センサー箱Ｂ型（１４）自身の一部に直接接触する２タイプを表す。
【００１０】
図６において、ステンレス鋼板又は鉄鋼板（１５）の下面に振動の不良導体であるゴム板（１６）等を張り、ステンレス綱板又は鉄鋼板（１５）に振動センサー箱Ａ型（１３）又は振動センサー箱Ｂ型（１４）を取り付け金属製保護カバー（１７）で覆い、送信の配線は同カバー（１７）に直接繋がる金属製配線保護管（１８）で保護される。滑り止めや美観の点でステンレス綱板又は鉄鋼板（１５）の上面に滑り止め・化粧材（１９）を張り付ける事を特徴とする仮設潜入者検知器（２０）を表し、ゴム板（１６）は道路を伝わる他の振動を遮蔽するためである。なお、この振動遮蔽材のゴム板（１６）は窓枠・ヒンジ・床材等々を組み込む相手材質により、必要に応じ設けることが必要である。
【発明の効果】
この発明は、以上説明したように構成しているので，以下に記載されるような効果を奏する。
【００１１】
入り口門扉及び玄関の踊り場及び扉の枠又はヒンジ部に振動センサーを取り付け、入り口と玄関の間の通路に埋設式の振動センサーを取り付け、窓枠にも振動センサーを取り付けると、家屋の中に入るまでに潜入者の存在は検知される。それは前記踊り場に踏み込んだときから、鍵を差し込む音、鍵を回す音、ノブを回す音、ヒンジ部が擦れ合って発する音、車輪が転動する音、或いはバール等でこじ開ける音、ガラスを割る振動等を検知する。通路を歩くときに発する足音で、おおよその人数も推測できる。オフィスビル・病院・ホテル・銀行・研究所等にでは廊下や扉の前後、扉のヒンジにセンサーを設けると潜入者の有無の判断、又は潜入する事が時間的に不自然等、防犯上貴重な情報をタイムリーに発進する。又これらの振動センサーを現場で除去・解除する事は、埋設構造又は連続接合の金属製保護カバー・保護管で覆うので触るだけで発信するので非常に困難である。
【図面の簡単な説明】
【図１】窓外枠が振動センサーを取り付けることで検知器に成った図。
【図２】金属製ヒンジ部に振動センサーを取り付けた図、及び特殊形状のヒンジの一例。
【図３】振動を受信しない素材を振動の良導体金属に積層した床材・壁材に振動センサー箱を取り付け、振動検知器に成った図である。
【図４】振動センサー内蔵の金属製埋設検知器、及び延長・分岐金属板の図である。
【図５】振動センサー箱の２タイプを示す図で有る。
【図６】比較的大きな面積を仮設で設備できる仮設潜入者検知器を表した図である。
【図１】
2005018722.tif 000003
【図２】
2005018722.tif 000004
【図３】
2005018722.tif 000005
【図４】
2005018722.tif 000006
【図５】
2005018722.tif 000007
【図６】
2005018722.tif 000008